(57)【特許請求の範囲】
【請求項１】
表示部とデジタル放送受信部とを備える移動通信端末機で、デジタル放送を表示する方法であって、
前記デジタル放送受信部を通じてＥＰＧ情報を受信する過程と、
前記受信した前記ＥＰＧ情報を前記移動通信端末機のメモリに保存する過程と、
待機モード状態で、前記ＥＰＧ情報に基づいた全てのプログラム情報中の一部を順次的に前記表示部が活性化されている間に前記待機モード状態の背景画面上に表示する過程と、
を含み、
前記プログラム情報は、プログラム情報表示機能が設定された状態で、任意のチャンネルを表示するロング（ｌｏｎｇ）キーの入力により選択され、
前記ロングキーの入力により選択されたチャンネルのデジタル放送が受信及び表示される
ことを特徴とする方法。
【発明の詳細な説明】
【技術分野】
【０００１】
本発明は、デジタル放送(Ｄｉｇｉｔａｌ Ｂｒｏａｄｃａｓｔｉｎｇ)の受信が可能であると共にそのプログラム情報を表示することができる端末機及びその方法に関し、特に、背景画面にプログラム情報を表示することができる装置及びその方法に関する。
【背景技術】
【０００２】
特定周期で放送センターから伝送されるデータであるＥＰＧ(Ｅｌｅｃｔｒｏｎｉｃ Ｐｒｏｇｒａｍ Ｇｕｉｄｅ)情報は、各チャンネル別に時間帯を基準として送り出されている放送の題目及び簡単な特徴などを含んでいる。端末機がＥＰＧ情報を受信して内部メモリーまたはファイルシステムに保存しておくことによりユーザーはＥＰＧメニューを検索して視聴を希望する放送を選択することができる。
【０００３】
しかし、使用者が時間帯別にＥＰＧメニューを検索してこそ、どのチャンネルで何のプログラムが放送されているかが分かることは、ユーザーの立場では非常に不便である。したがって、ユーザーが別の操作なしにも現在どのチャンネルで何のプログラムが放送されているかが把握できれば、一層便利に希望する放送を視聴することができる。
【０００４】
また、ＥＰＧ検索のためにはデジタル放送モードに進入しなければならない。しかし、デジタル放送モードに進入すれば、該当モジュール(例：放送受信モジュール)が駆動するので、それだけ電力が消耗される。もし、ユーザーが現在の時間に特定チャンネルで放送されるプログラムを単純に確認だけしたい場合、デジタル放送モードに進入しなくて確認することができれば、不必要な電力の浪費が減少される。
【発明の概要】
【発明が解決しようとする課題】
【０００５】
本発明は、上述したような従来技術の問題点を解決するためになされたもので、その目的は、デジタル放送の受信が可能な端末機において、デジタル放送モードに進入しなくてもプログラム情報が確認できるようにする装置及びその方法を提供することである。
【０００６】
本発明の他の目的は、ユーザーがプログラム情報を検索しなくても現在サービス中であるデジタル放送に関するプログラム情報を見られるようにする装置及びその方法を提供することである。
【課題を解決するための手段】
【０００７】
上記目的を達成するために本発明は、表示部とデジタル放送受信部とを備える移動通信端末機で、デジタル放送プログラム情報を表示する方法であって、
前記デジタル放送受信部を通じて放送プログラム情報を受信する過程と、
前記受信した放送プログラム情報を前記移動通信端末機のメモリに保存する過程と、
待機モード状態で、前記放送プログラム情報に基づいた全てのチャンネル情報中の一部を順次的に前記表示部が活性化されている間に前記待機モード状態の背景画面に続いて表示する過程と、
を含むことを特徴とする。
【発明の効果】
【０００８】
本発明によれば、ユーザーが特定チャンネルで現在放送されているプログラムに関する情報を知りたい場合、デジタルマルチメディア放送(Ｄｉｇｉｔａｌ Ｍｕｌｔｉｍｅｄｉａ Ｂｒｏａｄｃａｓｔｉｎｇ:以下、‘ＤＭＢ’と称する)モードに進入しないで待機モードで確認可能なので、便利であるだけでなく、不必要な電力浪費(ＤＭＢモードに進入するようになればＤＭＢモジュールを駆動させるようになるので)が発生しない長所がある。
【図面の簡単な説明】
【０００９】
【図１】本発明が適用されるＤＭＢ受信可能な移動通信端末機の斜視図である。
【図２Ａ】本発明の好ましい実施形態によるＤＭＢプログラム情報の表示画面を示す図である。
【図２Ｂ】本発明の好ましい実施形態によるＤＭＢプログラム情報の表示画面を示す図である。
【図３】本発明の実施形態によるＤＭＢ受信可能な移動通信端末機の第１の構成を示すブロック図である。
【図４】図３に示された移動通信端末機によるＤＭＢプログラム情報の表示方法を示すラダー図である。
【図５】本発明の実施形態によるＤＭＢ受信可能な移動通信端末機の第２の構成を示すブロック図である。
【図６】図５に示された移動通信端末機によるＤＭＢプログラム情報の表示方法を示すラダー図である。
【図７】本発明の実施形態によるＤＭＢプログラム情報表示のための選好チャンネル登録メニュー画面を示す図である。
【図８】ユーザーの選択によりＤＭＢモードで該当チャンネルのプログラムが表示される前に、待機モードで見られる３種類の背景画面状態を例示した図である。
【図９】本発明の好ましい実施形態による待機モードでＤＭＢプログラム情報が表示された画面を示す図である。
【図１０】本発明の好ましい実施形態による待機モードでＤＭＢプログラム情報が表示された画面において左側方向へのスクロールを説明するための図である。
【図１１】本発明の好ましい実施形態による待機モードで背景画面にＤＭＢプログラム情報を表示する方法を示すフローチャートである。
【図１２】本発明の好ましい実施形態による待機モードで背景画面にＤＭＢプログラム情報を表示するために選好チャンネルを登録する方法を示すフローチャートである。
【発明を実施するための形態】
【００１０】
以下、本発明の好適な一実施形態について添付図面を参照しつつ詳細に説明する。下記の説明において、本発明の要旨のみを明確にする目的で、関連した公知機能又は構成に関する具体的な説明は省略する。下記説明では、具体的なチャンネル番号、プログラム名、時刻などのような多くの特定事項が示されるが、これは本発明のより全般的な理解のために提供されたもので、このような特定事項なしでも本発明が実施できることはこの技術分野における通常の知識を持つ者には自明である。
【００１１】
図１は、本発明が適用されるＤＭＢが受信可能な移動通信端末機の斜視図である。本発明はデジタル放送が受信可能な端末機に適用可能であり、本明細書ではＤＭＢ受信が可能な携帯電話を例示する。
【００１２】
本発明の実施形態による移動通信端末機１００は、メインボディー(ｍａｉｎ ｂｏｄｙ)２０と、メインボディー２０の下部に連結されたサブボディー(ｓｕｂ ｂｏｄｙ)４０と、で構成される。メインボディー２０には、第１の表示部１１２と、サイドキー１１３−１と、キーパッド１１３−２と、を含むキー入力部１１３と、マイク１１４と、第１のスピーカー１１５と、が具備され、主に携帯電話機能などを実行するために利用される。サブボディー４０には、第２の表示部１２３と、第２のスピーカー１２４と、が具備され、主にマルチメディア機能を実行するために利用される。また、本実施形態ではサブボディー４０が回転型に具現されたがフォルダ型に具現することもでき、二つのボディーの連結関係は本発明の要旨とは関係ない。
【００１３】
図１に示したように、移動通信端末機が開いている時(メインボディー２０とサブボディー４０とがお互いにオーバーラップされなかった状態)には、第２の表示部１２３の背景画面にＤＭＢプログラム情報が表示される。これはユーザーが主に第２の表示部１２３を見ることを考慮したためである。必要によって、第１の表示部１１２あるいは二つの表示部１１２、１２３の全ての背景画面にＤＭＢプログラム情報を表示することもでき、これはユーザーの選択により決定される。
【００１４】
サブボディー４０を回転させてメインボディー２０の後にオーバーラップさせると、即ち、ユーザーが第１の表示部１１２のみを見られるようになった時には、第１の表示部１１２の背景画面にだけプログラム情報が表示される。
【００１５】
この時、ＤＭＢプログラム情報は、背景画面の一部領域に表示するか全体画面に表示することができる。後述の図２Ａ及び図２Ｂのように、背景画面のテキストスライド領域に表示する場合、あるいは図８のＭ４のような画面は、一部領域に表示する場合である。
【００１６】
かかる構造の移動通信端末機１００は、キー入力部１１３を通じたユーザーの操作によって携帯電話機能を実行するかマルチメディア機能を実行するようになる。
【００１７】
また、ユーザーは第２の表示部１２３を通じてＤＭＢを視聴することができ、第１の表示部１１２を通じて携帯電話機固有の機能を確認することができる。ここで、第１及び第２の表示部１１２、１２３は、例えば、ＬＣＤ(Ｌｉｑｕｉｄ  Ｃｒｙｓｔａｌ  Ｄｉｓｐｌａｙ)を用いて具現することができる。
【００１８】
図２Ａ及び図２Ｂは、本発明の好ましい実施形態によるＤＭＢプログラム情報の表示画面を示す図である。
【００１９】
図２Ａと図２Ｂにおいて、参照符号‘ＴＳＡ’は待機モードの背景画面にあるテキストスライド領域を示す。
【００２０】
図３は、本発明の実施形態によるＤＭＢ受信可能な移動通信端末機の第１の構成を示すブロック図である。
【００２１】
図３に示したように、本実施形態では、第１のモジュール(フォン（phone）モジュール１１０)と、第２のモジュール(ＤＭＢモジュール１２２)と、第３のモジュール(マルチメディアモジュール１２０)が物理的に分離された場合を仮定して説明するが、三つのモジュールの全部または一部を一つのチップ(便宜上‘制御部’と称する)で構成することも可能である。
【００２２】
本発明の実施形態による移動通信端末機１００は、デジタルマルチメディア放送受信兼用携帯電話機として、携帯電話機能を制御する携帯電話機能モジュール(例えば、フォンモジュール)１１０と、放送受信機能を実行するＤＭＢモジュール１２２と、マルチメディア機能を制御するマルチメディアモジュール１２０と、を含む。フォンモジュール１１０は、第１の表示部１１２と、キー入力部１１３と、マイク１１４と、第１のスピーカー１１５と、第１のメモリー１１６と、を制御する。マルチメディアモジュール１２０は、第２の表示部１２３と、第２のスピーカー１２４と、第２のメモリー１２５と、を制御する。
【００２３】
各部分の動作について具体的に説明すれば、次のようである。
【００２４】
フォンモジュール１１０は、無線(Ｒａｄｉｏ Ｆｒｅｑｕｅｎｃｙ: ＲＦ)送受信部分とモデムチップ(ｃｈｉｐ)(例えば、クォルコム(ＱｕａｌＣｏｍｍ)社のＭＳＭ(Ｍｏｂｉｌｅ  Ｓｔａｔｉｏｎ  Ｍｏｄｅｍ)５５００)部分などで具現することができ、通話関連信号を送受信して携帯電話機能を含んだ移動通信端末機の全般的な機能を総括的に制御する。第１の表示部１１２は携帯電話機能を含んだ移動通信端末機の全般的な機能と関連する情報を表示する。また、第１の表示部１１２は背景画面の全体あるいは一部(例えば、テキストスライド領域)にＤＭＢプログラム情報を表示する。キー入力部１１３はユーザーの操作による制御命令あるいはデータなどを入力する。マイク１１４はオーディオ信号を入力する。第１のスピーカー１１５は携帯電話機能の実行と関連するオーディオ信号(例えば、通話音声)を出力する。第１のメモリー１１６は携帯電話機能を含んだ移動通信端末機の全般的な機能と関連する情報を保存する。
【００２５】
ＤＭＢモジュール１２２は、デジタル放送受信モジュールとしてアンテナを通じてＤＭＢ ＲＦ信号を受信するための部分と復調部分(ｄｅｍｏｄｕｌａｔｏｒ)などを含むが、本発明の要旨がそのような詳細構成に関することではないので具体的に図示しない。
【００２６】
マルチメディアモジュール１２０は、ＤＭＢモジュール１２２から伝達を受けたＤＭＢデータを復号してユーザーに提供するためのマルチメディア情報(映像、文字、オーディオ)を出力する。第２の表示部１２３は、マルチメディアモジュール１２０から出力する映像信号を表示する。また、第２の表示部１２３は背景画面の全体あるいは一部(例えばテキストスライド領域)にＤＭＢプログラム情報を表示する。第２のスピーカー１２４はマルチメディアモジュール１２０から出力するオーディオ信号を出力する。第２のメモリー１２５はＤＭＢサービスの提供と関連する情報(例えば、ＥＰＧ情報、選好プログラム情報など)を保存する。
【００２７】
マルチメディアモジュール１２０は、フォルダの状態によってＤＭＢプログラム情報が表示される表示部を決定することができる。即ち、フォルダが閉じていると、第１の表示部１１２のみにプログラム情報が表示されるように制御し、フォルダが開いていると、第２の表示部１２３のみに、あるいは二つの表示部１１２、１２３の両方にプログラム情報が表示されるように制御する。
【００２８】
第１及び第２のスピーカー１１５、１２４と、第１及び第２の表示部１１２、１２３のように、これらをハードウェア的に各々分離構成することもでき、一つのスピーカーと一つの表示部で構成することもできる。また、マルチメディアモジュール１２０は、Ｈ.２６４コーデックマルチメディアプロセッサ(Ｈ.２６４ Ｃｏｄｅｃ Ｍｕｌｔｉｍｅｄｉａ Ｐｒｏｃｅｓｓｏｒ)を用いて具現することができる。
【００２９】
図４は、図３に示された移動通信端末機によるＤＭＢプログラム情報の表示方法を示すラダー図である。
【００３０】
ステップＳ６１２で、マルチメディアモジュール１２０が待機モード(ｉｄｌｅ ｍｏｄｅ)を感知すれば、ステップＳ６１４で、プログラム情報表示機能に設定されているか否かをチェックする。プログラム情報表示機能に設定されている場合には、ステップＳ６１６で、マルチメディアモジュール１２０は、第２のメモリー１２５に保存されているＥＰＧ情報に基づいてＤＭＢプログラム情報を生成する。そして、ステップＳ６１８で、フォルダがオープンされているか否かをチェックする。
【００３１】
ステップＳ６１２で、端末機が待機モードではないと判断されるか、ステップＳ６１４で、プログラム情報表示機能に設定されていないと判断されると、作業を終了する。
【００３２】
もし、フォルダがオープンされていると、ステップＳ６２０で、マルチメディアモジュール１２０は、第２の表示部１２３に、図２Ａ及び図２Ｂに示したように、背景画面のテキストスライド領域にＤＭＢプログラム情報を表示するように制御する。このＤＭＢプログラム情報を見てユーザーは視聴を希望するチャンネルを選択することができる。その選択のためにロング(ｌｏｎｇ)キーを使用することができる。ただ、このチャンネル番号のロングキーは、プログラム情報表示機能のみで有効になるように設定される。言い替えれば、プログラム情報表示機能が設定されている時には任意の数字キーを長く押すと、該当ＤＭＢチャンネルのプログラムが表示されるが、一般のモードでは短縮ダイヤルとして機能する。
【００３３】
ステップＳ６２４で、マルチメディアモジュール１２０が、チャンネル番号のロングキーが入力されたか否かをチェックして、もし、チャンネル番号のロングキーの入力が感知されると、ステップＳ６２６で、マルチメディアモジュール１２０は第２の表示部１２３によるＤＭＢプログラム情報の表示を中止させる。ステップＳ６２８で、ＤＭＢモジュール１２２は駆動され、前記入力されたチャンネル番号に対応する放送プログラムを受信してマルチメディアモジュール１２０を通じて第２の表示部１２３に表示する。
【００３４】
一方で、フォルダがオープンされていないと判断すると、ステップＳ６２２で、マルチメディアモジュール１２０はフォンモジュール１１０にＤＭＢプログラム情報を送信する。ＤＭＢプログラム情報を受信したフォンモジュール１１０は、ステップＳ７１１で、第１の表示部１１２が背景画面のテキストスライド領域ＴＳＡにＤＭＢプログラム情報を表示するように制御する。そして、ステップＳ７１３で、フォンモジュール１１０はチャンネル番号のロングキーが入力されたか否かをチェックし、もし、チャンネル番号のロングキーの入力が感知されると、ステップＳ７１５で、第１の表示部１１２が背景画面のテキストスライド領域にフォルダオープン要求メッセージを表示するように制御する。このフォルダオープン要求メッセージを見てユーザーがフォルダをオープンさせると、ステップＳ７１９で、これを感知してマルチメディアモジュール１２０に入力されたチャンネル番号のＤＭＢを表示するように要求する。ステップＳ６２８で、この要求を受けたマルチメディアモジュール１２０は、第２の表示部１２３に前記入力されたチャンネル番号に該当するＤＭＢが表示されるように制御する。
【００３５】
図５は、本発明の実施形態によるＤＭＢ受信可能な移動通信端末機の第２の構成を示すブロック図である。
【００３６】
本発明の実施形態による移動通信端末機１００−１は、ＤＭＢ受信兼用個人携帯端末機(Ｐｅｒｓｏｎａｌ Ｄａｔａ Ａｓｓｉｓｔａｎｔ:以下、‘ＰＤＡ’と称する)を示す。図３と比較すれば、フォンモジュール１１０の制御を受けた構成要素の中で第１のメモリー１１６以外は全部マルチメディアモジュール１２０の制御を受けるという点が相異している。しかし、これはＰＤＡ固有の構成によるものである。また、ＰＤＡ固有の機能を除外した本発明の適用による各部分の動作は、図３と同一なのでその具体的な説明は省略し、参照符号も同一に示す。
【００３７】
図６は、図５に示された移動通信端末機によるＤＭＢプログラム情報の表示方法を示すラダー図である。
【００３８】
ステップＳ６１２で、マルチメディアモジュール１２０が待機モードを感知すれば、ステップＳ６１４で、プログラム情報表示機能が設定されているか否かをチェックする。プログラム情報表示機能が設定されていると、ステップＳ６１６で、マルチメディアモジュール１２０は、第２のメモリー１２５に保存されているＥＰＧ情報に基づいてＤＭＢプログラム情報を生成する。
【００３９】
もし、ステップＳ６１２で、端末機が待機モードではないと判断されるか、ステップＳ６１４で、プログラム情報表示機能に設定されていないと判断されると、作業を終了する。
【００４０】
ここで、ＤＭＢプログラム情報は、所定の基準を満足するように設定できる。その基準はユーザーにより設定でき、時間またはチャンネルを基準として設定することができる。例えば、全体時間または現在時間帯に放送されるチャンネルのＥＰＧ情報で構成することができる。そして、ステップＳ６１８で、フォルダがオープンされているか否かをチェックする。
【００４１】
もし、フォルダがオープンされていると、ステップＳ６２０で、マルチメディアモジュール１２０は第２の表示部１２３が背景画面のテキストスライド領域にＤＭＢプログラム情報を表示するように制御する。一方、フォルダがオープンされていないと、ステップＳ６２２−１で、マルチメディアモジュール１２０は第１の表示部１１２が、図２Ａ及び図２Ｂに示されたように、背景画面のテキストスライド領域ＴＳＡにＤＭＢプログラム情報を表示するように制御する。このＤＭＢプログラム情報を見てユーザーは視聴を希望するチャンネルを選択することができる。その選択のためにロング(ｌｏｎｇ)キーを使用することができる。
【００４２】
ステップＳ６２４で、マルチメディアモジュール１２０はチャンネル番号のロングキーが入力されたか否かをチェックする。もし、チャンネル番号のロングキーの入力が感知されると、ステップＳ６２６で、マルチメディアモジュール１２０はＤＭＢプログラム情報の表示を中止させる。ステップＳ６２８で、ＤＭＢモジュール１２２が駆動され、前記入力されたチャンネル番号に該当する放送プログラムを受信してマルチメディアモジュール１２０を通じて第２の表示部１２３に表示する。
【００４３】
必要に応じて、ステップＳ６２６は、実施される場合と実施されない場合とがある。例えば、ステップＳ６１８で、フォルダがオープンされていない場合には、ＤＭＢプログラム情報が第１の表示部１１２に表示されるのでＤＭＢプログラム情報表示を中止させる必要はない。図示しなかったが、ステップＳ６１８でフォルダがオープンされている場合に、二つの表示部１１２、１２３の両方がＤＭＢプログラム情報を表示するように具現することもでき、この場合にも第１の表示部１１２によるＤＭＢプログラム情報の表示は中止させる必要がない。
【００４４】
このチャンネル番号のロングキーは、プログラム情報表示機能のみで有効になるように設定される。言い替えれば、プログラム情報表示機能が設定されている時には任意の数字キーを長く押すと、該当ＤＭＢチャンネルのプログラムが表示されるが、一般のモードでは短縮ダイヤルとして機能する。
【００４５】
図７は、本発明の好ましい実施形態によるＤＭＢプログラム情報表示のための選好チャンネル登録メニュー画面を示す図である。
【００４６】
Ｍ１は、待機モードでの初期メニュー画面である。ユーザーが初期メニュー画面Ｍ１に表示された項目の中で“ＤＭＢ選好チャンネル”を選択して確認キーを押すと、Ｍ２のような“選好チャンネル設定”のサブメニュー画面が表示される。ユーザーは、サブメニュー画面Ｍ２に表示される項目の中で希望する項目を選択することができる。各項目は、チャンネル番号とチャンネル名からなる。例えば、“０５教育”の‘０５’はチャンネル番号を示し、‘教育’はチャンネル名を示す。例示された図には一つの画面に７個の項目が表示されており、▲▼キーを利用した上下スクロールを通じて他の項目をさらに表示させることができる。
【００４７】
ユーザーがフォーカスＰＳを希望する項目に移動させた後、チェックボックスＢＸを利用して選択(例：特定キーを押すと、チェック表示になるように具現)する。ユーザーが希望する項目を全部選択した後に確認キーを押すと、選択された項目が選好チャンネルとしてメモリー(例：第２のメモリー１２５)に登録される。
【００４８】
図８は、ユーザーの選択によってＤＭＢモードで該当チャンネルのプログラムが表示される前に、待機モードで見られる３種類の背景画面状態を例示した図である。
【００４９】
Ｍ３は、ＤＭＢ選好チャンネル表示に設定されているが登録された選好チャンネルがない場合の待機モードでの画面表示状態を示す。
【００５０】
Ｍ４は、ＤＭＢ選好チャンネル表示に設定されており、登録された選好チャンネルがある場合の待機モードでの画面表示状態を示す。一つの画面に同時に４ラインを表示し、１ラインには一つのプログラム情報を表示することができると仮定した場合である。一つのプログラム情報は、チャンネルアイコン(ビデオチャンネル、オーディオチャンネル、プレミアムチャンネルアイコン)と、チャンネル番号と、プログラム名と、を含む。“●０７シムソン”は、チャンネルアイコンが“●(ビデオチャンネルを示すと仮定する)”であり、チャンネル番号が“０７”であり、そして、プログラム名が“シムソン”である。
【００５１】
Ｍ５は、二つの背景画面Ｍ３、Ｍ４の中でいずれか一つの画面が表示された状態でユーザーが、例えば、“３１”を入力した場合を示す。以後、ユーザーが特定キー(例:＊)を押すと、“３１”がチャンネル番号として認識されてＤＭＢモードへの転換が開始される。
【００５２】
Ｍ６は、ＤＭＢモードに転換されてチャンネル番号“３１”に該当するＤＭＢプログラムを画面に表示している画面状態を示す。
【００５３】
図９は、本発明の好ましい実施形態による待機モードでＤＭＢプログラム情報が表示された画面での上方向スクロールを説明するための図である。
【００５４】
Ｍ４は、ＤＭＢ選好チャンネル表示に設定されており、登録した選好チャンネルがある場合の待機モードでの画面表示状態を示す。一つの画面に４個のプログラム情報を表示することができると仮定した場合である。もし、ユーザーが７個の選好チャンネルを予め登録しておいた場合、４個のプログラム情報は一つの画面に表示されるが、残りの３個のプログラム情報は上/下スクロールにより表示される。
【００５５】
Ｍ７は、Ｍ４のような画面表示状態で上方へライン(項目)がスクロールされた場合の画面表示状態である。画面Ｍ７には、画面Ｍ４に表示されたプログラム情報“●０７シムソン”が消えて“●１９プレミアリーグ”が表示されている。
【００５６】
このようなライン単位のスクロールは、一定周期ごとに実施されるようにすることができる。例えば、画面Ｍ４状態で１５秒間維持されてから画面Ｍ７にスクロールされるようにすることができる。
【００５７】
図１０は、本発明の好ましい実施形態による待機モードでＤＭＢプログラム情報が表示された画面での左側方向へのスクロールを説明するための図である。
【００５８】
Ｍ８は、ＤＭＢ選好チャンネル表示に設定されており、選択した選好チャンネルがある場合の待機モードでの画面表示状態を示す。図示したように、４個のプログラム情報を表示するが一つのプログラム情報を一つのラインに表示させる場合、あるプログラム情報は内容が長くて全体内容を一回に表示することができない場合がある。この場合、左/右スクロールが行われるようにすれば、全体内容を表示することができる。例えば、画面Ｍ８に表示された“●２６ ＥＢＳ １０週間完成−修”の全体内容が“●２６ ＥＢＳ １０週間完成−修学能力対備高教３年の数学”である場合、一定時間ごとに左側方向にスクロールされるようにするとユーザーが全体内容を見ることができる。プログラム情報の中でチャンネルアイコンとチャンネル番号は固定領域に表示されてスクロールされないで、プログラム名だけがスクロール領域に表示されてスクロールされる。ＳＬ２は、例えば、画面Ｍ８のＳＬ１部分が左側方向に１字ほどスクロールされた時の状態を示す。画面Ｍ８のＳＬ１部分に表示された“●２６ ＥＢＳ １０週間完成−修”のスクロール領域の開始部分から“Ｅ”が消えて端の部分に“学”が新たに表示される。この時、固定領域のチャンネルアイコン“●”とチャンネル番号“２６”はスクロールされない。
【００５９】
このような左/右スクロールが一画面に表示されたすべてのプログラム情報に対して同時に実施されるように具現することもでき、一つのプログラム情報毎に順次に実施されるように具現することもできる。
【００６０】
図１１は、本発明の好ましい実施形態による待機モードで背景画面にＤＭＢプログラム情報を表示する方法を示すフローチャートである。
【００６１】
ステップＳ１２０１で、マルチメディアモジュール１２０が待機モードを感知すれば、ステップＳ１２０２で、プログラム情報表示機能が設定されているか否かをチェックする。プログラム情報表示機能に設定されている場合は、ステップＳ１２０３で、マルチメディアモジュール１２０は、選好チャンネルが登録されているか否かをチェックする。選好チャンネルが登録される場合には、ステップＳ１２０５で、マルチメディアモジュール１２０が第２のメモリー１２５に保存されているＥＰＧ情報に基づいてＤＭＢプログラム情報を生成する。例えば、ユーザーが登録しておいた選好チャンネルが４個であれば、４個のＤＭＢプログラム情報が生成される。一方で、選好チャンネルがないと判断されると、ステップＳ１２０４で、マルチメディアモジュール１２０は、選好チャンネル登録要求メッセージが背景画面に表示されるように制御する。図示された実施形態では、選好チャンネルを登録することを前提としたので、ステップＳ１２０３及びステップＳ１２０４が含まれているが、すべてのチャンネルを対象とすることもできることは勿論である。この場合、ステップＳ１２０３及びステップＳ１２０４は不必要である。
【００６２】
ステップＳ１２０６で、マルチメディアモジュール１２０は、生成されたプログラム情報が背景画面に表示されるように制御し、このＤＭＢプログラム情報を見てユーザーは視聴を希望するチャンネルを選択することができる。その選択のためにロング(Ｌｏｎｇ)キーを使用することができる。
【００６３】
ステップＳ１２０７で、マルチメディアモジュール１２０は、チャンネル番号ロングキーの入力があるか否かをチェックする。もし、チャンネル番号ロングキーの入力が感知されると、ステップＳ１２０８で、マルチメディアモジュール１２０は、ＤＭＢプログラム情報表示を中止させる。ステップＳ１２０９で、マルチメディアモジュール１２０は、入力されたチャンネル番号に該当する放送プログラムが表示されるように制御する。すなわち、ＤＭＢモジュール１２２が前記入力されたチャンネル番号に該当する放送プログラムを受信するように制御し、第２の表示部１２３が放送プログラムを表示するように制御する。
【００６４】
ステップＳ１２０７で、チャンネル番号ロングキーの入力が感知されないと、ステップＳ１２１０で、マルチメディアモジュール１２０は、現在表示中であるプログラム情報に該当する放送プログラムが終了する時刻であるか否かをチェックする。放送プログラムが終了する時刻でなければ、ステップＳ１２０７で反復チェックし、終了する時刻であれば、第２のメモリー１２５から次放送プログラムのＥＰＧ情報をサーチして新たに表示するＤＭＢプログラム情報を生成するためにステップＳ１２０５に復帰する。すなわち、ある選好チャンネルの放送プログラムが終了する時間になれば、次の放送プログラムについてのプログラム情報を生成するようになる。特別な場合の以外は、すべての選好チャンネルの放送プログラムが同時に終了する場合はないが、この場合には、すべての選好チャンネルの次の放送プログラムについてのプログラム情報を生成する。
【００６５】
例えば、待機モードで、ある放送プログラムのプログラム情報を背景画面に表示する時(例:ステップＳ１２６)、その放送プログラムが終了する時間を予め認知して現在時間と比較してタイマーを駆動させ、タイマーが終了すれば、第２のメモリー１２５をアクセスするように具現することができる。
【００６６】
図１２は、本発明の好ましい実施形態による待機モードで背景画面にＤＭＢプログラム情報を表示するために選好チャンネルを登録する方法を示すフローチャートである。
【００６７】
ステップＳ１３１１で、マルチメディアモジュール１２０は、現在端末機がＤＭＢモードであるか否かをチェックする。ＤＭＢモードであると判断されると、ステップＳ１３１２で、マルチメディアモジュール１２０は、第２の表示部１２３に初期メニューが表示されるように制御する。初期メニューを見たユーザーが“画面デザイン”項目を選択すれば、マルチメディアモジュール１２０が、ステップＳ１３１３で、これを感知してステップＳ１３１４で、画面デザインメニュー(例:図７画面Ｍ１)を表示する。画面デザインメニューを見たユーザーが“選好チャンネル設定”項目を選択すれば、マルチメディアモジュール１２０)が、ステップＳ１３１５で、これを感知して、ステップＳ１３１６で、選好チャンネル設定メニュー(例:図７の画面Ｍ２)を表示する。ステップＳ１３１７とステップＳ１３１８は、選好チャンネル設定メニューを見たユーザーが少なくとも一つ以上の希望する選好チャンネルを選択するための過程である。すなわち、ステップＳ１３１７で、マルチメディアモジュール１２０は、キー入力部１１３を通じてユーザーが選択した選好チャンネルを感知して保存し、ステップＳ１３１８で、確認キーが入力されたか否かをチェックする。この時、もし、確認キーの入力が感知されると、選好チャンネルの選択が終了したと認識して作業を終了する。一方で、確認キーの入力が感知されないと、他の選好チャンネルがさらに選択されたと判断してステップＳ１３１７に復帰する。
【００６８】
図３又は図５に具体的に図示しなかったが、第２のメモリー１２５はＮＡＮＤフラッシュ(ｆｌａｓｈ)とＳＤＲＡＭを用いて具現することができる。受信されたＥＰＧ情報はＮＡＮＤフラッシュに保存され、関連作業が実行(例えば、プログラム情報生成)される時にＳＤＲＡＭにコピーされる。
【００６９】
図３のように、フォンモジュール１１０とマルチメディアモジュール１２０が各々別に第１及び第２の表示部１１２、１２３を有する場合には、ＤＰＲＡＭ(Ｄｕａｌ Ｐｏｒｔ ＲＡＭ)やＡＩＭ(Ａｒｍ Ｉｎｔｅｒｎａｌ Ｍｅｍｏｒｙ)(図示せず)を使用してＥＰＧ情報をマルチメディアモジュール１２０がフォンモジュール１１０に伝送し、フォンモジュール１１０により制御される第１の表示部１１２を通じてプログラム情報を表示することができる。
【００７０】
図４のステップ６１６で、ＤＭＢプログラム情報の生成は全体チャンネルについて行われるが、図１３のように、移動通信端末機の選好チャンネル保存領域に選好チャンネルを予め登録しておいた場合には第２のメモリー１２５からその登録されたチャンネルに該当するＥＰＧ情報のみを検出することにより該当ＤＭＢプログラム情報のみを生成することができるので、ユーザーが不必要なＤＭＢプログラム情報を見る必要がなくて満足感を高めることができる。
【００７１】
また、移動通信端末機を、一つの表示部のみを有するかまたは一つのボディーで構成することができ、非フォルダタイプで構成することもできる。この場合、図６でのステップＳ６１８のフォルダ状態判断過程やＤＭＢプログラム情報を表示するための表示部選択過程は不必要であることは当業界における通常の知識を持つ者には自明である。
【００７２】
また、移動通信端末機の種類によってその制御部がＭＰ３プレーヤー機能、デジタルビデオディスクプレーヤー機能、あるいはテレマティック機能を制御するように構成することができる。
【００７３】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【符号の説明】
【００７４】
２０    メインボディー
４０    サブボディー
１００    移動通信端末機
１００−１    移動通信端末機
１１０    フォンモジュール
１１２    第１の表示部
１１３    キー入力部
１１３−１    サイドキー
１１３−２    キーパッド
１１４    マイク
１１５    第１のスピーカー
１１６    第１のメモリー
１２０    マルチメディアモジュール
１２２    ＤＭＢモジュール
１２３    第２の表示部
１２４    第２のスピーカー
１２５    第２のメモリー
【図１】
0005179436.tif 000002
【図３】
0005179436.tif 000003
【図４】
0005179436.tif 000004
【図５】
0005179436.tif 000005
【図６】
0005179436.tif 000006
【図７】
0005179436.tif 000007
【図１１】
0005179436.tif 000008
【図１２】
0005179436.tif 000009
【図２Ａ】
0005179436.tif 000010
【図２Ｂ】
0005179436.tif 000011
【図８】
0005179436.tif 000012
【図９】
0005179436.tif 000013
【図１０】
0005179436.tif 000014